(57)【要約】【課題】  想定外の状態になった場合でも誤動作の発生を防ぐことが可能となり、限られた条件下以外でも期待される出力タイミングでの動作を行うことが可能な映像信号切替装置を提供する。【解決手段】  多重化を行う多重化回路１において、基準信号判別回路１１は基準信号を検出し、出力ロジック選択回路１５は基準信号判別回路１１で検出される基準信号の有無の状態から、出力タイミング調整回路１４−１〜１４−４から出力信号多重回路１６への制御データの出力ロジックの条件分けを行い、基準信号がない等の場合に映像信号の切替えが停止してしまうことを防止している。【選択図】      図１
2006203378.tif 000002
【特許請求の範囲】
【請求項１】
入力された基準信号を出力タイミング制御用の信号に割り当てて出力タイミングの制御を行い、多重化された基準信号として後段の回路へと出力する映像信号切替装置であって、
前記基準信号の有無を判別する判別手段と、前記判別手段の判別結果に基づいて出力タイミングの制御を行うための出力ロジックを調整する出力ロジック選択手段とを有することを特徴とする映像信号切替装置。
【請求項２】
前記出力ロジック選択手段は、想定外の信号が入力された場合にエラー処理を行うことを特徴とする請求項１記載の映像信号切替装置。
【請求項３】
前記出力ロジック選択手段は、前記出力ロジックに基づいて、入力データの出力タイミングを調整する出力タイミング調整手段を制御することを特徴とする請求項１または請求項２記載の映像信号切替装置。
【請求項４】
前記出力タイミング調整手段で前記出力タイミングが調整された前記入力データを多重して１以上の多重化されたデータを出力する出力信号多重手段と、前記基準信号を多重して１以上の多重化された基準信号を出力する基準信号多重手段とを含むことを特徴とする請求項３記載の映像信号切替装置。
【請求項５】
入力された基準信号を出力タイミング制御用の信号に割り当てて出力タイミングの制御を行い、多重化された基準信号として後段の回路へと出力する映像信号切替装置に用いられる映像信号切替方法であって、前記映像信号切替装置が、前記基準信号の有無を判別する処理と、その判別結果に基づいて出力タイミングの制御を行うための出力ロジックを調整する処理とを実行することを特徴とする映像信号切替方法。
【請求項６】
前記出力ロジックを調整する処理は、想定外の信号が入力された場合にエラー処理を行うことを特徴とする請求項５記載の映像信号切替方法。
【請求項７】
前記出力ロジックを調整する処理は、前記出力ロジックに基づいて、入力データの出力タイミングを調整する出力タイミング調整手段を制御することを特徴とする請求項５または請求項６記載の映像信号切替方法。
【請求項８】
前記映像信号切替装置が、前記出力タイミング調整手段で前記出力タイミングが調整された前記入力データを多重して１以上の多重化されたデータを出力する出力信号多重手段と、前記基準信号を多重して１以上の多重化された基準信号を出力する基準信号多重手段とを含むことを特徴とする請求項７記載の映像信号切替方法。
【発明の詳細な説明】
【技術分野】
【０００１】
本発明は映像信号切替装置及びそれに用いる映像信号切替方法に関し、特に映像信号の切替えを行う映像信号切替装置に関する。
【背景技術】
【０００２】
従来、この種の映像信号切替装置においては、図２０に示すように、多重化回路７と、基準信号発生回路８と、制御回路９−１，９−２とからなるというように、回路構成がシンプルで、基準信号をベースに制御信号の多重化及び出力タイミングの調整を行っている。
【０００３】
多重化回路７は基準信号判別回路７１と、データ分配回路７２−１，７２−２と、出力タイミング調整回路７３−１〜７３−４と、出力信号多重（Ｍｉｘ）回路７４と、基準信号多重（Ｍｉｘ）回路７５とからなり、入力された基準信号を出力タイミング制御用の信号に割り当てて、出力タイミングの制御を行い、多重化する基準信号として、図２１に示す後段の回路１０へと出力する。
【０００４】
後段の回路１０はデータ分離回路１０１と、ラッチ回路１０２−１〜１０２−Ｎ，１０３−１〜１０３−Ｎとからなり、制御データを各出力タイミングにあわせた回路に割り振り、上記の基準信号を使って出力を行っている。
【０００５】
上述した映像信号切替装置では、基準信号が存在することを前提に出力回路の動作を設計しているため、基準信号が停止した場合には制御回路の動作が停止してしまう。
【０００６】
また、上述した映像信号切替装置では、通常時での動作を基準に出力タイミングの調整を行っているため、制御データの出力が次の基準信号までずれた場合や、制御信号の多重化回路７の内部で基準信号の位相を調整することで本来の基準信号と制御データとのタイミングが崩れた場合等、想定外の状態になった場合に誤動作が発生する。このように、従来回路では上記のようなエラーの処理が考えられておらず、限られた条件下でしか期待される出力タイミングでの動作を行うことができない。
【０００７】
【特許文献１】特開２００３−３７７９３号公報
【特許文献１】特開平１−１０９８７５号公報
【発明の開示】
【発明が解決しようとする課題】
【０００８】
上述した従来の映像信号切替装置では、基準信号がすべての回路に影響しているため、基準信号がなくなった場合に誤動作を発生してしまう。また、従来の映像信号切替装置では、基準信号を内部で位相調整した場合や制御データが遅れたきた場合等、想定していない条件下では出力タイミングがずれてしまう。この場合、本来の制御タイミングとは異なるタイミングでの制御になるので、映像信号切替装置では、映像が画面の途中で切替わるような切替えショックが発生する。
【０００９】
上記のように、従来の映像信号切替装置では、基準信号が存在することを前提に出力回路の動作を設計しているため、基準信号が停止した場合には制御回路の動作が停止してしまう。
【００１０】
また、従来の映像信号切替装置では、通常時での動作を基準に出力タイミングの調整を行っているため、制御データの出力が次の基準信号までずれた場合や、制御信号の多重化回路の内部で基準信号の位相を調整したことで本来の基準信号と制御データとのタイミングが崩れた場合等、想定外の状態になった場合に誤動作が発生する。
【００１１】
したがって、従来の映像信号切替装置では、上記のようなエラーに対する処理が考えられておらず、限られた条件下でしか期待される出力タイミングでの動作を行うことができないという問題がある。
【００１２】
そこで、本発明の目的は上記の問題点を解消し、制御データの出力が次の基準信号までずれた場合や、制御信号の多重化回路の内部で基準信号の位相を調整したことで本来の基準信号と制御データとのタイミングが崩れた場合等の想定外の状態になった場合でも誤動作の発生を防ぐことができ、限られた条件下以外でも期待される出力タイミングでの動作を行うことができる映像信号切替装置及びそれに用いる映像信号切替方法を提供することにある。
【課題を解決するための手段】
【００１３】
本発明による映像信号切替装置は、入力された基準信号を出力タイミング制御用の信号に割り当てて出力タイミングの制御を行い、多重化された基準信号として後段の回路へと出力する映像信号切替装置であって、
前記基準信号の有無を判別する判別手段と、前記判別手段の判別結果に基づいて出力タイミングの制御を行うための出力ロジックを調整する出力ロジック選択手段とを備えている。
【００１４】
本発明による映像信号切替方法は、入力された基準信号を出力タイミング制御用の信号に割り当てて出力タイミングの制御を行い、多重化された基準信号として後段の回路へと出力する映像信号切替装置に用いられる映像信号切替方法であって、前記映像信号切替装置が、前記基準信号の有無を判別する処理と、その判別結果に基づいて出力タイミングの制御を行うための出力ロジックを調整する処理とを実行している。
【００１５】
すなわち、本発明の映像信号切替装置は、多重化を行う制御回路において、基準信号を検出し、基準信号の有無の状態から、出力ロジックの条件分けを行うエラー処理を盛り込むことで、基準信号がない等の場合に映像信号の切替えが停止してしまうことを防止している。
【００１６】
上記の欠点を改善するために、本発明の映像信号切替装置では、基準信号の有無を判別し、その判別結果に応じて最適な多重化ロジックを選択することで、各種状態に合わせた制御信号の多重化を行っている。
【００１７】
これによって、本発明の映像信号切替装置では、制御データの出力が次の基準信号までずれた場合や、制御信号の多重化回路の内部で基準信号の位相を調整したことで本来の基準信号と制御データとのタイミングが崩れた場合等の想定外の状態になった場合でも誤動作の発生を防ぐことが可能となり、限られた条件下以外でも期待される出力タイミングでの動作を行うことが可能となる。
【発明の効果】
【００１８】
本発明は、以下に述べるような構成及び動作とすることで、制御データの出力が次の基準信号までずれた場合や、制御信号の多重化回路の内部で基準信号の位相を調整したことで本来の基準信号と制御データとのタイミングが崩れた場合等の想定外の状態になった場合でも誤動作の発生を防ぐことができ、限られた条件下以外でも期待される出力タイミングでの動作を行うことができるという効果が得られる。
【発明を実施するための最良の形態】
【００１９】
次に、本発明の実施例について図面を参照して説明する。図１は本発明の一実施例による映像信号切替装置の構成を示すブロック図である。図１において、本発明の一実施例による映像信号切替装置は多重化回路１と、基準信号発生回路２と、制御回路３−１，３−２とから構成されている。
【００２０】
多重化回路１は基準信号判別回路１１と、データ分配回路１２−１，１２−２と、内部用基準信号選択回路１３と、出力タイミング調整回路１４−１〜１４−４と、出力ロジック選択回路１５と、出力信号多重（Ｍｉｘ）回路１６と、基準信号多重（Ｍｉｘ）回路１７とから構成されている。
【００２１】
上記の各回路は、大まかに分類すると、基準信号を扱うブロックと、制御データを扱うブロックと、各種状態に合わせて最適な多重化を行う制御ブロックとに分けることができる。
【００２２】
基準信号判別回路１１は制御回路３−１，３−２から入力される基準信号発生回路２からの基準信号１，２の停止の有無を判別し、停止されていない基準信号１，２を内部用基準信号選択回路１３及び基準信号多重回路１７に送るとともに、その判別結果を出力ロジック選択回路１５及び基準信号多重回路１７に通知する。
【００２３】
データ分配回路１２−１，１２−２は制御回路３−１，３−２から入力される制御データ及び制御データ書込み信号を出力タイミング調整回路１４−１〜１４−４に分配する。内部用基準信号選択回路１３は基準信号判別回路１１からの基準信号１，２を選択して出力ロジック選択回路１５に供給する。
【００２４】
出力タイミング調整回路１４−１〜１４−４は出力ロジック選択回路１５から供給される基準信号１，２に基づいて、データ分配回路１２−１，１２−２からの制御データの出力タイミングをそれぞれの基準信号１，２毎に調整する。出力ロジック選択回路１５は基準信号判別回路１１からの判別結果（基準信号１，２の状態）によって、後述する制御データの出力ロジックを調整する。
【００２５】
出力信号多重回路１６は出力タイミング調整回路１４−１〜１４−４から出力される制御データを多重し、多重された制御データと制御データ書込み信号とを出力する。基準信号多重回路１７は基準信号判別回路１１からの判別結果（基準信号１，２の状態）に基づいて基準信号判別回路１１からの基準信号１，２を多重し、多重化された基準信号を出力する。
【００２６】
この図１を参照して本発明の一実施例による映像信号切替装置の動作について説明する。以下、本発明の一実施例による映像信号切替装置が２系統の基準信号と制御回路とを持った回路構成の場合について説明する。これは、ＨＤＴＶ（Ｈｉｇｈ  Ｄｅｆｉｎｉｔｉｏｎ  Ｔｅｌｅｖｉｓｉｏｎ）及びＳＤＴＶ（Ｓｔａｎｄａｒｄ  Ｄｅｆｉｎｉｔｉｏｎ  Ｔｅｌｅｖｉｓｉｏｎ）のように、２種類の映像信号に対応した場合の回路構成となる。
【００２７】
制御回路３−１，３−２は基準信号発生回路２から基準信号１、基準信号２をそれぞれ入力し、これにあわせた制御データをそれぞれ多重化回路１に出力する。ここで、基準信号１，２は、Ｂ．Ｂ．や３値Ｓｙｎｃ及びこれらから作成したＶパルス等をさす。
【００２８】
それぞれの制御データの中には、信号の変換を行うことで、もうひとつの基準信号にあわせたタイミングでの制御が必要になる信号も存在する。実際の映像信号では、ＨＤＴＶからＳＤＴＶへの変換ダウンコンバートや、ＳＤＴＶからＨＤＴＶへの変換のアップコンバート等の映像信号フォーマットの変換を行う場合に必要となる。
【００２９】
このため、１つの制御回路３−１，３−２からは、基準信号１に同期した制御データと、基準信号２に同期した制御データとが出力されることになる。この制御データを、それぞれの基準信号１，２毎に出力タイミングを調整する出力タイミング調整回路１４−１〜１４−４、例えばＦＩＦＯ（Ｆｉｒｓｔ  Ｉｎ  Ｆｉｒｓｔ  Ｏｕｔ）等にデータをいったん入力する。
【００３０】
実際、本実施例の回路構成では、４つの出力タイミング調整回路１４−１〜１４−４を持ち、２つが基準信号１に同期した制御データを入力する回路で、残りの２つが基準信号２に同期したデータを入力する回路である。これらの出力タイミング調整回路１４−１〜１４−４では、基準信号１，２でそれぞれ制御が行われ、それぞれの制御タイミングにあわせて出力するように制御が行われる。
【００３１】
図２〜図１６は本発明の一実施例による映像信号切替装置の動作例を示すタイミングチャートである。これら図１〜図１６を参照して本発明の一実施例による映像信号切替装置の動作例について説明する。
【００３２】
図２は位相が異なる基準信号２つで制御を行った場合の実際の切替タイミング例を示している。制御タイミングはそれぞれの基準信号１，２を使い、それぞれのタイミングで出力している。
【００３３】
制御データの「Ｄ１」と「Ｄ３」とは基準信号１に同期したタイミングで後段の回路（図示せず）で切替えられるように、制御信号２を使って出力される。この基準信号以外では、データの書込み完了信号（フラグ）を使って、データの書込みが完了したことも出力条件としている。
【００３４】
制御データの「Ｄ２」と「Ｄ４」とは基準信号２に同期したタイミングで後段の回路で切替えられるように、制御信号２を使って出力される。この時の出力タイミングは、間違えて基準信号１のタイミングで切替わらないように、基準信号１を使って出力タイミングを調整している。
【００３５】
図３は基準信号１が停止した場合の動作例を示している。この場合、図２に示す出力ロジックのままでは、基準信号２に同期した制御データの出力が行えず、実際の制御が停止してしまう。これは、基準信号１を確認してからデータを出力するロジックをとっているためである。
【００３６】
これを防止するために、本実施例では基準信号判別回路１１を設け、基準信号１，２の有無を確認し、出力ロジック選択回路１５にてそれにあわせた出力ロジックに切替えることで、制御停止の異常状態を防止している。図３に示す動作例では、すべてのデータを基準信号２を使って出力するように内部の出力ロジックを出力ロジック選択回路１５にて切替えている。
【００３７】
図４は、上記と同様に、基準信号２が停止した場合の切替ロジックを示している。この切替ロジックでは、基準信号１を使って出力するように、内部の出力ロジックを出力ロジック選択回路１５にて変更している。
【００３８】
また、図５は基準信号１，２の両方が停止した場合の切替ロジックを示している。この場合には、基準信号が存在しないため、送られてきた信号を、特にタイミング調整も行わずにそのまま出力している。この場合、後段の回路では基準信号がまったくないため、送られてきたデータををそのまま切替えるようになる。
【００３９】
図８〜図１１は基準信号が同一タイミングの場合の切替ロジックを示している。この場合には、基本的に基準信号が１本しか入力されない場合（図３に示す動作例）と同様である。したがって、実際の動作は、基準信号１または基準信号２を使って制御データの多重化を行う。基準信号がまったくない場合には、送られてきたデータをそのまま多重化して後段の回路へと出力する。
【００４０】
また、上記の制御回路３−１，３−２は、基準信号が１本で制御データが１系統のみの場合にも対応し、その場合には、図１５及び図１６に示すような出力ロジックとなる。基準信号がある場合には、その基準信号を使って多重化を行う。基準信号がない場合には、上述した動作と同様に、送られてきた制御データをそのまま多重化して出力する。
【００４１】
このようなロジックで制御している場合でも、問題が発生することがあり、それが図２に示すように、制御データが基準信号をまたいで出力されるような場合である。これは上位のシステムから各種装置の制御を同時に行っている場合等であり、この映像信号切替装置以外の制御に時間がかかってしまい、映像信号の切替制御が遅れてしまうことで発生する可能性がある。
【００４２】
その場合、図２で使用した出力ロジックをそのまま適用した場合には各種信号の条件から、本来は出力してはいけないところで出力を許可する条件が揃ってしまい、間違ったタイミングで制御データを出力することになる。図２においては、制御データの「Ｄ１」が「Ｄ２」と「Ｄ４」との切替タイミングで切替わってしまい、本来の切替タイミングからずれてしまっている。
【００４３】
これを防止するために、本実施例では、制御データの基準信号またぎ等の対策として、基準信号での条件のリセットを追加し、誤動作を起こさないように対策している。
【００４４】
この出力タイミングチャートを図３に示す。図３に示すように、最初に基準信号２で出力条件の１つが揃ってしまっているが、基準信号１が来た時点でこの条件のみを一度クリアする。そうすると、他の条件がすべて揃ったとしても、次の基準信号２が来るまで出力しないことになり、本来の出力タイミングが守られることになる。
【００４５】
同様の対策として、各出力タイミング調整回路１４−１〜１４−４に出力禁止期間を設ける等の対策も、上記の出力タイミングずれには有効であると考えられる。例えば、基準信号１に同期したデータは、基準信号２から次の基準信号１までの期間しか出力を禁止し、逆に基準信号２に同期したデータは、次の基準信号１と基準信号２との間でしか出力できないようにする。このように条件分けをすることで、間違ったタイミングでの出力を防止することが可能となる。
【００４６】
また、もうひとつ誤動作する要因は、図１２及び図１３に示すように基準信号の位相調整内部で行えるようにした場合に発生する。この時に、本来は基準信号の次にデータというタイミングで送られてきているところを、その範囲内で調整すれば、図１２に示すように、問題が発生しないが、図１３に示すように、先に制御データが来てその後に基準信号が来るというような場合には問題が発生する。
【００４７】
このような調整は、元の基準信号と制御データとのタイミングから、基準信号を進めるようにタイミングを調整する場合に発生する。基準信号を、送られてきた制御データとのタイミングから、より前に進めたい場合の実際の手段としては、基準信号を次の基準信号近くまで遅らすことで、実現が可能となるからである。
【００４８】
この場合、位相調整した基準信号を出力のトリガとして使用する制御データの出力が遅れてしまい、本来の切替タイミングからずれてしまう。実際、図１３に示す動作例では制御データの「Ｄ２」と「Ｄ４」とが基準信号１周期分遅れて出力されてしまうことになる。
【００４９】
これを防止するために、本実施例では、ずらした制御信号で、制御信号の多重化を行う場合に、基準信号の片方のみの選択を禁止し、必ず多重化した基準信号とすることで、この不具合を回避することができる。
【００５０】
この場合の出力タイミングチャートを図１４に示す。ここでは、基準信号が多重化されるため、位相調整した基準信号と、もう片方の基準信号とがそれぞれ出力されるため、制御データは各々の基準信号に合わせたタイミングで出力され、図１３に示すような制御データ出力の遅れを防止することができ、正常なタイミングで制御することできる。
【００５１】
図１７は本発明の他の実施例による映像信号切替装置の構成を示すブロック図である。図１７において、本発明の他の実施例による映像信号切替装置は多重化回路４と、基準信号発生回路２と、制御回路３−１〜３−ｎとから構成されている。
【００５２】
多重化回路４は基準信号判別回路４１と、データ分配回路４２−１〜４２−ｎと、内部用基準信号選択回路４３と、出力タイミング調整回路４４−１〜４４−（２ｎ＋１）と、出力ロジック選択回路４５と、出力信号多重（Ｍｉｘ）回路４６と、基準信号多重（Ｍｉｘ）回路４７とから構成されている。
【００５３】
上記の各回路は、大まかに分類すると、基準信号を扱うブロックと、制御データを扱うブロックと、各種状態に合わせて最適な多重化を行う制御ブロックとに分けることができる。
【００５４】
基準信号判別回路４１は制御回路３−１〜３−ｎから入力される基準信号発生回路２からの基準信号１〜ｎの停止の有無を判別し、停止されていない基準信号１〜ｎを内部用基準信号選択回路４３及び基準信号多重回路４７に送るとともに、その判別結果を出力ロジック選択回路４５及び基準信号多重回路４７に通知する。
【００５５】
データ分配回路４２−１〜４２−ｎは制御回路３−１〜３−ｎから入力される制御データ及び制御データ書込み信号を出力タイミング調整回路４４−１〜４４−（２ｎ＋１）に分配する。尚、データ分配回路４２−１〜４２−（ｎ−１）は映像信号をＨＤＴＶ信号とＳＤＴＶ信号とに分類して分配しているが、データ分配回路４２−ｎは映像信号を位相−９０ＨのＨＤＴＶ信号と位相０ＨのＨＤＴＶ信号とＳＤＴＶ信号とに分類して分配しているため、３系統となっている。本実施例では、分類方法に応じて出力系統を３以上とすることもできる。
【００５６】
内部用基準信号選択回路４３は基準信号判別回路４１からの基準信号１〜ｎを選択して出力ロジック選択回路４５に供給する。出力タイミング調整回路４４−１〜４４−（２ｎ＋１）は出力ロジック選択回路４５から供給される基準信号１〜ｎに基づいて、データ分配回路４２−１〜４２−ｎからの制御データの出力タイミングをそれぞれの基準信号１〜ｎ毎に調整する。出力ロジック選択回路４５は基準信号判別回路４１からの判別結果（基準信号１〜ｎの状態）によって、後述する制御データの出力ロジックを調整する。
【００５７】
出力信号多重回路４６は出力タイミング調整回路４４−１〜４４−（２ｎ＋１）から出力される制御データを多重し、多重された制御データと制御データ書込み信号とを出力する。基準信号多重回路４７は基準信号判別回路４１からの判別結果（基準信号１〜ｎの状態）に基づいて基準信号判別回路４１からの基準信号１〜ｎを多重し、多重化された基準信号を出力する。
【００５８】
本実施例では、入力側について、制御データの入力を２系統だけではなく、複数系統とすることにも対応することができ、基準信号を複数用いた出力タイミングにあわせた回路構成の構築が可能である。本実施例では、入力側を３系統以上にした場合である。尚、基準信号を一つの制御回路に複数入力して制御する場合にも対応可能であり、大規模な制御回路においても、制御データの多重化が可能である。
【００５９】
本実施例では、この状態での動作ロジックとして、基準信号を選択して複数の基準信号の中から２本のみを選択して出力タイミングを調整したり、残りの基準信号をバックアップ用にすることで、基準信号の抜けが発生したとしても、別の基準信号に切替えることで、出力タイミングのずれがなく、常に基準信号にあわせたタイミングでの出力が可能にすることもできる。
【００６０】
また、本実施例による内部基準信号は２系統のみであるが、これを複数にして、多系統の基準信号を扱うことも可能である。この場合は、出力タイミング調整回路を上記のように３個以上の出力タイミング調整回路４４−（２ｎ−１），４４−２ｎ，４４−（２ｎ＋１）にすることで、対応することができる。
【００６１】
図１８は本発明の別の実施例による映像信号切替装置の構成を示すブロック図である。図１８において、本発明の別の実施例による映像信号切替装置は多重化回路５と、基準信号発生回路２と、制御回路３−１，３−２とから構成されている。
【００６２】
多重化回路５は基準信号判別回路１１と、データ分配回路１２−１，１２−２と、内部用基準信号選択回路１３と、出力タイミング調整回路１４−１〜１４−４と、出力ロジック選択回路１５と、出力信号多重（Ｍｉｘ）回路５２と、基準信号多重（Ｍｉｘ）回路５１とから構成されている。
【００６３】
すなわち、本実施例では、基準信号多重回路５１から複数の多重化された基準信号１〜Ｌを出力し、出力信号多重回路５２から複数の多重化された制御データ１〜Ｌと複数の制御データ書込み信号１〜Ｌとを出力するようにした以外は、上記の図１に示す本発明の一実施例と同様の構成及び動作となっている。
【００６４】
本実施例では、後段の出力（基準信号多重回路５１及び出力信号多重回路５２各々の出力）が複数系統あっても、上述した本発明の一実施例と同様の多重化を行うことと、後段の出力回路にあわせた出力数に割り振ることで、複数台の制御が可能となる。
【００６５】
後段の回路を複数用意する場合には、実際の装置作成時にデータ転送量やスピード等にあわせて、回路構成を調整することができるため、制御対象に合わせて柔軟な回路構成にすることが可能である。
【００６６】
図１９は本発明のさらに別の実施例による映像信号切替装置の構成を示すブロック図である。図１９において、本発明のさらに別の実施例による映像信号切替装置は多重化回路６と、基準信号発生回路２と、制御回路３−１〜３−ｎとから構成されている。
【００６７】
多重化回路６は基準信号判別回路４１と、データ分配回路４２−１〜４２−ｎと、内部用基準信号選択回路４３と、出力タイミング調整回路４４−１〜４４−２ｎと、出力ロジック選択回路４５と、出力信号多重（Ｍｉｘ）回路６２と、基準信号多重（Ｍｉｘ）回路６１とから構成されている。
【００６８】
すなわち、本実施例では、基準信号多重回路６１から複数の多重化された基準信号１〜Ｌを出力し、出力信号多重回路６２から複数の多重化された制御データ１〜Ｌと複数の制御データ書込み信号１〜Ｌとを出力するようにした以外は、上記の図１７に示す本発明の他の実施例と同様の構成及び動作となっている。
【００６９】
本実施例では、後段の出力（基準信号多重回路６１及び出力信号多重回路６２各々の出力）が複数系統あっても、上述した本発明の他の実施例と同様の多重化を行うことと、後段の出力回路にあわせた出力数に割り振ることで、複数台の制御が可能となる。
【図面の簡単な説明】
【００７０】
【図１】本発明の一実施例による映像信号切替装置の構成を示すブロック図である。
【図２】本発明の一実施例による映像信号切替装置の動作例を示すタイミングチャートである。
【図３】本発明の一実施例による映像信号切替装置の動作例を示すタイミングチャートである。
【図４】本発明の一実施例による映像信号切替装置の動作例を示すタイミングチャートである。
【図５】本発明の一実施例による映像信号切替装置の動作例を示すタイミングチャートである。
【図６】本発明の一実施例による映像信号切替装置の動作例を示すタイミングチャートである。
【図７】本発明の一実施例による映像信号切替装置の動作例を示すタイミングチャートである。
【図８】本発明の一実施例による映像信号切替装置の動作例を示すタイミングチャートである。
【図９】本発明の一実施例による映像信号切替装置の動作例を示すタイミングチャートである。
【図１０】本発明の一実施例による映像信号切替装置の動作例を示すタイミングチャートである。
【図１１】本発明の一実施例による映像信号切替装置の動作例を示すタイミングチャートである。
【図１２】本発明の一実施例による映像信号切替装置の動作例を示すタイミングチャートである。
【図１３】本発明の一実施例による映像信号切替装置の動作例を示すタイミングチャートである。
【図１４】本発明の一実施例による映像信号切替装置の動作例を示すタイミングチャートである。
【図１５】本発明の一実施例による映像信号切替装置の動作例を示すタイミングチャートである。
【図１６】本発明の一実施例による映像信号切替装置の動作例を示すタイミングチャートである。
【図１７】本発明の他の実施例による映像信号切替装置の構成を示すブロック図である。
【図１８】本発明の別の実施例による映像信号切替装置の構成を示すブロック図である。
【図１９】本発明のさらに別の実施例による映像信号切替装置の構成を示すブロック図である。
【図２０】従来の映像信号切替装置の構成を示すブロック図である。
【図２１】従来の映像信号切替装置の後段の回路の構成を示すブロック図である。
【符号の説明】
【００７１】
１，４〜６  多重化回路
２  基準信号発生回路
３−１〜３−ｎ  制御回路
１１，４１  基準信号判別回路
１２−１，１２−２，
４２−１〜４２−ｎ  データ分配回路
１３，４３  内部用基準信号選択回路
１４−１〜１４−４，
４４−１〜４４−（２ｎ＋１）  出力タイミング調整回路
１５，４５  出力ロジック選択回路
１６，４６，５２，６２  出力信号多重回路
１７，４７，５１，６１  基準信号多重回路
【図１】
2006203378.tif 000003
【図２】
2006203378.tif 000004
【図３】
2006203378.tif 000005
【図４】
2006203378.tif 000006
【図５】
2006203378.tif 000007
【図６】
2006203378.tif 000008
【図７】
2006203378.tif 000009
【図８】
2006203378.tif 000010
【図９】
2006203378.tif 000011
【図１０】
2006203378.tif 000012
【図１１】
2006203378.tif 000013
【図１２】
2006203378.tif 000014
【図１３】
2006203378.tif 000015
【図１４】
2006203378.tif 000016
【図１５】
2006203378.tif 000017
【図１６】
2006203378.tif 000018
【図１７】
2006203378.tif 000019
【図１８】
2006203378.tif 000020
【図１９】
2006203378.tif 000021
【図２０】
2006203378.tif 000022
【図２１】
2006203378.tif 000023